(57)【要約】【課題】  従来の通過球センサは、ケース本体が必然的に大きくなってしまい、ケースの取付位置が限定されると共に、ケースの製作コストもかかっていた。【解決手段】  通過球センサ１００は、収納ケース１０２にホール素子１０６、永久磁石１０７、およびホール素子１０６に生じるホール電圧を計測する回路が構成された回路基板を備えて構成されている。収納ケース１０２は、永久磁石１０７と遊技部材の所定領域を通過するパチンコ球Ｐとの各中心を結ぶ線の延長線上にまで収納ケース１０２本体が達しず、ホール素子１０６と遊技部材の所定領域を通過するパチンコ球Ｐとの各中心を結ぶ線の延長線上にまで収納ケース１０２本体が達しない欠けた形状に形成されている。また、パチンコ球Ｐが遊技部材の所定領域を通過したことは、通過球センサ１００から出力される検出信号に基づいてメインＣＰＵ３１によって認識される。【選択図】  図６
2007007037.tif 000002
【特許請求の範囲】
【請求項１】
遊技盤に設けられた遊技部材の所定領域を通過した遊技球を検出する遊技球検出装置を備えた遊技機において、
前記遊技球検出装置は、磁束を発生する磁束発生手段と、この磁束発生手段により発生した磁束の変化を検出する磁束検出手段とから構成され、前記遊技部材は、前記磁束発生手段および前記磁束検出手段が前記所定領域を臨んで並んで収納される収納ケースを有し、
前記収納ケースは、前記磁束発生手段と前記所定領域を通過する遊技球との各中心を結ぶ線の延長線上にまで収納ケース本体が達しず、前記磁束検出手段と前記所定領域を通過する遊技球との各中心を結ぶ線の延長線上にまで収納ケース本体が達しない欠けた形状に形成されていることを特徴とする遊技機。
【請求項２】
前記磁束発生手段および前記磁束検出手段は前記収納ケース内の同一平面上に設けられていることを特徴とする請求項１に記載の遊技機。
【請求項３】
前記収納ケースは、前記磁束発生手段が発生する磁束が前記磁束検出手段に至るまでのケース内部に金属板を収納していることを特徴とする請求項１または請求項２に記載の遊技機。
【発明の詳細な説明】
【技術分野】
【０００１】
本発明は、遊技部材の所定領域を通過した遊技球を検出する遊技球検出装置を備えた遊技機に関するものである。
【背景技術】
【０００２】
従来、この種の遊技機としては、例えばパチンコ機がある。パチンコ機の遊技盤面には、遊技球が入賞可能な始動入賞口、一般入賞口および大入賞口などが設けられており、これらの入賞口には遊技球の通過を検出する通過球センサが設けられている。遊技球がこれらの入賞口に入賞して通過球センサにより検出されると、球タンクから球通路を介して遊技球が上皿に払い出され、遊技者は所定の利益を得ることができる。
【０００３】
下記の特許文献１には、このような遊技球の通過を検出するパチンコ球検出センサが開示されている。この検出センサには、検出される遊技球が通過する検出通路が貫通孔状にケースに開口して形成されており、この検出通路を挟んで磁界発生手段およびホール素子が互いに対向するケース位置に設けられている。遊技球が検出通路を通過しているときはしきい値を超えるホール電圧が検出されて、「Ｈ」レベルの検出信号が出力され、遊技球が検出通路を通過していないときはしきい値以下のホール電圧が検出されて、「Ｌ」レベルの検出信号が出力される。
【特許文献１】特開平８−１１２４０２号公報（段落[０００６]〜[０００７]）
【発明の開示】
【発明が解決しようとする課題】
【０００４】
しかしながら、上記の特許文献１に開示されているような従来の通過球センサは、磁界発生手段で発生する磁束を効率よくホール素子に及ぼすために、これらを検出通路を挟んで対向するケース位置に備えている。この結果、従来の通過球センサのケース本体は、貫通孔を挟んだ箇所にこれらを取り付ける部分が必要になるため、必然的に大きくなってしまい、これらの取付位置が限定されると共に、ケースの製作コストもかかっていた。
【課題を解決するための手段】
【０００５】
本発明はこのような課題を解決するためになされたもので、遊技盤に設けられた遊技部材の所定領域を通過した遊技球を検出する遊技球検出装置を備えた遊技機において、
遊技球検出装置は、磁束を発生する磁束発生手段と、この磁束発生手段により発生した磁束の変化を検出する磁束検出手段とから構成され、遊技部材は、磁束発生手段および磁束検出手段が所定領域を臨んで並んで収納される収納ケースを有し、収納ケースは、磁束発生手段と所定領域を通過する遊技球との各中心を結ぶ線の延長線上にまで収納ケース本体が達しず、磁束検出手段と所定領域を通過する遊技球との各中心を結ぶ線の延長線上にまで収納ケース本体が達しない欠けた形状に形成されていることを特徴とする。
【０００６】
この構成によれば、収納ケースは、遊技球が通過する所定領域を、遊技球を取り囲んで形成されていた貫通孔が欠けた形状に形成される。このため、磁束発生手段および磁束検出手段の取付位置を、従来のような互いが対向する位置に限定しないようにすることで、収納ケースを小型化できる。また、収納ケースを小型化することで、収納ケースの製作コストもかからなくなる。また、収納ケースが欠けた形状になって突出部分が少なくなるので、遊技盤において収納ケースが遊技球の流下を妨げなくなる。従って、遊技盤の任意の位置に収納ケースを設けることが可能となり、遊技球検出装置を入賞検出に用いるだけでなく、演出用のセンサなどにも使えるようになる。例えば、入賞装置や役物のない遊技盤の任意の位置に遊技球検出装置を設け、流下する遊技球の検出時に何らかの演出を行えば、従来単に遊技球が流下するだけの所で演出が行われるようになり、遊技の興趣が向上する。
【０００７】
また、本発明は、磁束発生手段および磁束検出手段が収納ケース内の同一平面上に設けられていることを特徴とする。
【０００８】
この構成によれば、磁束発生手段および磁束検出手段が同一平面上にあることで、磁束発生手段が発生する磁力が効率的に磁束検出手段に伝えられる。このため、磁束検出手段が磁束の変化を確実に検出できるようになって、遊技球の通過を正確に検出することができる。
【０００９】
また、本発明は、収納ケースが、磁束発生手段が発生する磁束が磁束検出手段に至るまでのケース内部に金属板を収納していることを特徴とする。
【００１０】
この構成によれば、磁束発生手段が発生した磁束が磁束検出手段に至るまでの磁気抵抗が金属板によって小さくなり、磁束発生手段が発生する磁力がより効率的に磁束検出手段に伝えられる。このため、金属板によって強められた磁界中を遊技球が通過することになり、磁束検出手段が磁束の変化をより確実に検出できるようになって、遊技球の通過をさらに正確に検出することができる。
【発明の効果】
【００１１】
本発明による遊技機によれば、上記のように、磁束発生手段および磁束検出手段を収納する収納ケースを小型化でき、収納ケースの製作コストもかからなくなる。また、収納ケースが遊技盤において遊技球の流下を妨げなくなるので、遊技盤の任意の位置に収納ケースを設けることが可能となり、遊技球検出装置を入賞検出に用いるだけでなく、演出用のセンサなどにも使えるようになる。
【発明を実施するための最良の形態】
【００１２】
次に、本発明を実施するための最良の形態について説明する。
【００１３】
図１は、本実施形態によるパチンコ機１０の外観を示す斜視図である。パチンコ機１０は、前面の中央部にパチンコ遊技が行われる透明遊技盤１２を備えており、その盤面から、透明遊技盤１２の背後に設けられた液晶表示装置１３ｃが透けて観察される。透明遊技盤１２の下方には、上部受皿１１ｂ１および下部受皿１１ｂ２からなる皿ユニット１１ｂが設けられている。下部受皿１１ｂ２の右方には発射ハンドル１が設けられている。
【００１４】
透明遊技盤１２の中央部には、液晶表示装置１３ｃに表示された特別図柄が視認される特別図柄表示部１２ａが設けられており、特別図柄表示部１２ａの左右には、図示しない通過ゲートが設けられている。また、透明遊技盤１２の下部には始動入賞口１２ｂが設けられている。発射ハンドル１の操作によって盤面に発射された遊技球であるパチンコ球が始動入賞口１２ｂに入賞すると、液晶表示装置１３ｃの特別図柄表示部１２ａに特別図柄が変動表示されて特別図柄ゲームが開始される。特別図柄表示部１２ａに表示された特別図柄が所定の大当たり組み合わせで揃うと、大当たり入賞が発生して大当たり遊技が行われる。また、始動入賞口１２ｂの左右には、パチンコ球が入賞すると所定個数例えば１０個の賞球が払い出される一般入賞口１２ｃが設けられている。賞球は皿ユニット１１ｂの上部受皿１１ｂ１に払い出されるが、上部受皿１１ｂ１が満杯のときは下部受皿１１ｂ２に払い出される。また、始動入賞口１２ｂの下方には、大当たり入賞が発生すると行われる大当たり遊技において扉が開閉する大入賞口（アタッカ）１２ｄが設けられている。大入賞口１２ｄの下方には、上記の各入賞口１２ｂ〜１２ｄのいずれにも入賞しなかったパチンコ球が入球するアウト口１２ｅが設けられている。
【００１５】
大当たり遊技は、特別図柄の大当たり組み合わせが特別図柄ゲームの終了時に停止表示してから行われ、大入賞口１２ｄに所定個数例えば１０個のパチンコ球が入賞するまで、または、所定時間例えば３０秒が経過するまで、大入賞口１２ｄが開放したままになる遊技が最大で例えば１５ラウンド行われる。各ラウンド中に、大入賞口１２ｄへ入賞したパチンコ球が大入賞口１２ｄの内部に設けられたＶゾーンと呼ばれる特定の領域に入賞すると、次のラウンドへ継続して進むことができるが、各ラウンド中にＶゾーンに入賞しなかった場合はいわゆるパンクとなり、１５ラウンド到達以前であっても、大当たり遊技はそのラウンドで打ち切られて終了となる。大当たり遊技中には、透明遊技盤１２の盤面上方に設けられた電飾装置１１ａの電飾により演出が行われる。
【００１６】
図２は、パチンコ機１０の分解斜視図である。なお、同図において図１と同一部分には同一符号を付してその説明は省略する。
【００１７】
パチンコ機１０は、四角枠状の木枠１４の前面に中枠１３が取り付けられて構成される。中枠１３は、背面に取り付けられる液晶表示装置１３ｃと共に、透明遊技盤１２の背後に位置する裏機構盤を構成しており、パチンコ球を発射する後述する発射ソレノイド１３ｄ（図７参照）などを備えている。中枠１３は、木枠１４の前面で開閉し得るように、木枠１４の左側部に軸支される。中枠１３の前面中央部には透明遊技盤１２が取り付けられ、上部には遊技の演出音等が放音される一対のスピーカ１３ｂ，１３ｂが取り付けられる。また、中枠１３の前面の右下部には上述した発射ハンドル１が取り付けられる。透明遊技盤１２およびスピーカ１３ｂ，１３ｂはガラス扉１１で覆われ、ガラス扉１１の透明ガラス部分からは透明遊技盤１２の盤面が観察される。ガラス扉１１の上部には上述した電飾装置１１ａが設けられている。電飾装置１１ａは、電飾ＬＥＤ（発光ダイオード）１１ａ２と、この電飾ＬＥＤ１１ａ２を覆うレンズカバー１１ａ１とからなり、パチンコ遊技の演出を行う演出装置を構成している。また、中枠１３の下部には、上述した皿ユニット１１ｂが取り付けられる。
【００１８】
中枠１３の背面中央部の矩形状開口には、透明遊技盤１２に対向して液晶表示装置１３ｃが取り付けられ、更に液晶表示装置１３ｃを背後から覆うように球払出ユニット１５ａおよび基板ケースユニット１５ｂが取り付けられている。球払出ユニット１５ａは左側部、基板ケースユニット１５ｂは右側部が中枠１３に軸支され、球払出ユニット１５ａおよび基板ケースユニット１５ｂは観音扉状に開いて液晶表示装置１３ｃの背面を露出させる。液晶表示装置１３ｃは、遊技状態等に応じた演出表示をその前面で行い、上述したように、特別図柄表示部１２ａに特別図柄を表示する。球払出ユニット１５ａは、入賞結果に応じた数のパチンコ球を上部受皿１１ｂ１および下部受皿１１ｂ２に供給する。基板ケースユニット１５ｂには、遊技動作や演出表示、球発射等を制御するための後述する主制御基板３０や副制御基板４０、払出・発射制御基板６０（図７参照）などが収納されている。
【００１９】
図３は、透明遊技盤１２の構成の概略を示す正面図である。なお、同図において図１および図２と同一または相当する部分には同一符号を付してその説明は省略する。
【００２０】
透明遊技盤１２は、略円形の遊技領域１２Ａと、遊技領域１２Ａ左側の下部から中央部やや上側にかけて、遊技領域１２Ａに沿って設けられた略円弧状の球発射領域１２Ｂとを備える。遊技領域１２Ａには上述した各入賞口１２ｂ〜１２ｄ（同図では不図示）などが設けられている。球発射領域１２Ｂは、発射ハンドル１の操作によって発射されたパチンコ球を、遊技領域１２Ａに導くための領域である。球発射領域１２Ｂと遊技領域１２Ａとは戻り防止部材１２ｆで仕切られている。この戻り防止部材１２ｆは、遊技領域１２Ａ内のパチンコ球が球発射領域１２Ｂに戻るのを防止するためのもので、弾性を有する板状体から構成されている。
【００２１】
図４は、透明遊技盤１２の裏面の構成を示す裏面図である。なお、図４において図１および図２と同一または相当する部分には同一符号を付してその説明は省略する。
【００２２】
透明遊技盤１２の裏面の中央部には、ワープ通路１２ｉが設けられている。透明遊技盤１２の盤面正面には、このワープ通路１２ｉへパチンコ球を案内する図示しないワープ入口が開口している。ワープ入口に入ったパチンコ球は、透明遊技盤１２の盤面から消えてワープ通路１２ｉを通過した後、図示しないワープ出口から出てきて透明遊技盤１２の盤面に現れる。ワープ出口は始動入賞口１２ｂの上方に設けられているため、ワープ入口に入球してワープ出口から透明遊技盤１２の表面に出てきて流下するパチンコ球は、始動入賞口１２ｂに入賞しやすくなる。
【００２３】
透明遊技盤１２の裏面下部には、前述した各入賞口１２ｂ〜１２ｄに入球したパチンコ球を球通路７０ａ〜７０ｅを経由して収集する入賞球集合樋アッセンブリ７０が設けられている。図５は、図４に示す入賞球集合樋アッセンブリ７０の構造を示す拡大斜視図である。入賞球集合樋アッセンブリ７０の球通路７０ａ〜７０ｅに形成された図５に示す挿入口７１〜７４には、パチンコ球の通過を検出する後述する通過球センサ１００（図６参照）が設けられる。また、図５に示す中空部分７５，７６には、図４に示すように、後述する始動入賞口ソレノイド２４や大入賞口ソレノイド２５（図７参照）が設けられている。
【００２４】
透明遊技盤１２の裏面右下部には、メイン中継基板８０およびサブ中継基板９０が設けられている。メイン中継基板８０は、基板ケースユニット１５ｂに収納された主制御基板３０と入賞球集合樋アッセンブリ７０に設けられた各通過球センサ１００等との電気的接続を中継する。サブ中継基板９０は、基板ケースユニット１５ｂに収納された副制御基板４０と電飾ＬＥＤ１１ａ２等との電気的接続を中継する。
【００２５】
サブ中継基板９０には、副制御基板４０に構成された副制御回路によって制御される電飾ＬＥＤ１１ａ２が接続されるコネクタ９１や、副制御基板４０が接続されるコネクタ９２が設けられている。透明遊技盤１２の上辺に取り付けられた電飾ＬＥＤ１１ａ２とコネクタ９１とは、図示しないハーネスによって電気的に接続されている。また、副制御基板４０およびコネクタ９２の間も、図示しないハーネスによって電気的に接続されている。サブ中継基板９０には、これらコネクタ９１，９２以外にも、副制御回路によって制御される透明遊技盤１２に取り付けられた種々のアクチュエータなどが接続されるコネクタ群が設けられている。
【００２６】
メイン中継基板８０は、基板ホルダ８１によって透明遊技盤１２の裏面に保持されている。メイン中継基板８０には、主制御基板３０に構成された主制御回路によって制御される後述する始動入賞口ソレノイド２４，大入賞口ソレノイド２５，Ｖゾーン誘導装置３４（図７参照）といったアクチュエータ、および上述した球通路７０ａ〜７０ｅに設けられた複数の通過球センサ１００などが接続されるコネクタや、主制御基板３０が接続されるコネクタ８８が設けられている。主制御基板３０およびコネクタ８８の間も、上述した副制御基板４０およびコネクタ９２の間と同様、図示しないハーネスによって電気的に接続されている。
【００２７】
各入賞口１２ｂ〜１２ｄおよび通過ゲートは透明遊技盤１２に設けられた遊技部材を構成しており、各入賞口１２ｂ〜１２ｄおよび通過ゲートの開口領域は遊技部材の所定領域を構成している。
【００２８】
図６は、磁気センサからなる上述した通過球センサ１００の構造を示しており、同図（ａ）はその側面図、同図（ｂ）はその平面図、同図（ｃ）はその斜視図である。
【００２９】
通過球センサ１００は、略直方体状の収納ケース１０２に、電流磁気効果の一つであるホール効果を起こすホール素子１０６、静磁界を発生する永久磁石１０７、およびホール素子１０６に生じるホール電圧を計測する回路が構成された図示しない回路基板を備えて構成されている。収納ケース１０２は、上記の遊技部材に設けられている。また、ホール素子１０６および永久磁石１０７は、同図（ａ），（ｂ）に点線で示すように、収納ケース１０２内の同一平面上に設けられており、収納ケース１０２の側面１０２ａに沿って、遊技部材の所定領域を臨んで並んで収納されている。また、回路基板には入出力端子が設けられており、この入出力端子を介して回路基板と主制御基板３０（図７参照）とは、メイン中継基板８０に設けられたコネクタを介して電気的に接続される。また、ホール素子１０６および永久磁石１０７の間には、永久磁石１０７により静磁界が発生しており、永久磁石１０７が発生する磁束がホール素子１０６に至るまでの収納ケース１０２内部には、同図（ａ），（ｂ）に点線で示すように、金属板１０８が収納されている。この金属板１０８は、磁化率の大きい鉄などの金属からなる。
【００３０】
永久磁石１０７は、磁束を発生する磁束発生手段を構成しており、ホール素子１０６は、永久磁石１０７により発生した磁束の変化を検出する磁束検出手段を構成している。また、本実施形態では、収納ケース１０２は、図６（ａ）〜（ｃ）に示すように、遊技部材の所定領域を通過する最中で、ホール素子１０６および永久磁石１０７が配置された同一平面に中心が位置するパチンコ球Ｐと、永久磁石１０７との各中心を結ぶ線の延長線上にまで収納ケース１０２本体が達しず、また、遊技部材の所定領域を通過する最中で、ホール素子１０６および永久磁石１０７が配置された同一平面に中心が位置するパチンコ球Ｐと、ホール素子１０６との各中心を結ぶ線の延長線上にまで収納ケース１０２本体が達しない欠けた形状に、形成されている。
【００３１】
パチンコ球Ｐが遊技部材の所定領域を側面１０２ａに沿って通過していないときは、永久磁石１０７により発生する静磁界は変化せず、ホール素子１０６で発生するホール電圧も一定のままで変化しない。このとき、通過球センサ１００からは、ハイレベルの検出信号が出力されている。一方、パチンコ球Ｐが同図（ａ）に矢印で示すように、側面１０２ａに隣接する遊技部材の所定領域を通過すると、永久磁石１０７により発生する静磁界がパチンコ球Ｐの通過に応じて変化する。このとき、通過球センサ１００からは、ローレベルの検出信号（ＯＮ信号）が出力される。
【００３２】
上記の通過球センサ１００の出力は、主制御回路のメインＣＰＵ３１（図７参照）に与えられている。パチンコ球Ｐが遊技部材の所定領域を通過したことは、通過球センサ１００から出力されるローレベルの検出信号に基づいてメインＣＰＵ３１により認識される。通過球センサ１００は、透明遊技盤１２に設けられた遊技部材の所定領域を通過したパチンコ球Ｐを検出する遊技球検出装置を構成している。
【００３３】
図７は、本実施形態によるパチンコ機１０の遊技動作を処理制御する電子回路の主な構成を示すブロック図である。この電子回路は、主制御基板３０に設けられた主制御回路、副制御基板４０に設けられた副制御回路、払出・発射制御基板６０に設けられた払出・発射制御回路などから構成されている。主制御回路は、透明遊技盤１２におけるパチンコ遊技の進行に関する電気的制御や、透明遊技盤１２における後述する遊技装置の電気的制御などを行い、副制御回路は、この主制御回路からの指示に従って、電飾ＬＥＤ１１ａ２などの演出装置の電気的制御を行う。また、払出・発射制御回路は、賞球等の払い出しやパチンコ球の発射を制御する。
【００３４】
主制御基板３０には、メインＣＰＵ３１や初期リセット回路３２、シリアル通信用ＩＣ３３といった電子部品が実装されている。また、主制御基板３０には、メインＣＰＵ３１がパチンコ機１０の遊技動作を処理制御するためのプログラムが記憶格納された図示しないメインＲＯＭ（リードオンリメモリ）や、処理制御時にデータが一時的に記憶される図示しないメインＲＡＭ（ランダムアクセスメモリ）も実装されている。初期リセット回路３２は、主制御回路の起動時にメインＲＡＭに記憶されている遊技状態の内容を消去すると共に、メインＲＯＭに記憶されているプログラムに従った遊技処理を開始させるリセット信号を発生する。また、シリアル通信用ＩＣ３３は、メインＣＰＵ３１から送出される制御信号を各制御基板４０，６０へシリアルに送信する。
【００３５】
また、主制御基板３０には、上述した通過ゲートの内側に設けられ、パチンコ球Ｐが通過ゲートを通過するのを検出するゲートスイッチ２０ｓや、始動入賞口１２ｂに入賞したパチンコ球Ｐを検出する始動入賞球センサ２１ｓが接続されている。また、大入賞口１２ｄに入賞したパチンコ球Ｐを検出するカウントスイッチ２２ｓ、大入賞口１２ｄ内部のＶゾーンを通過したパチンコ球Ｐを検出するＶカウントスイッチ２２ｖ、一般入賞口１２ｃへ入賞したパチンコ球Ｐを検出する一般入賞球センサ２３ｓが接続されている。これら各スイッチ２０ｓ，２２ｓ，２２ｖおよび各センサ２１ｓ，２３ｓは、上述した通過球センサ１００で構成されている。また、主制御基板３０には、アクチュエータとして、始動入賞口１２ｂの球受入口を拡張する始動入賞口ソレノイド２４、大入賞口１２ｄの扉を開閉する大入賞口ソレノイド２５、および大入賞口１２ｄ内部のＶゾーンにパチンコ球Ｐが入賞した後にパチンコ球ＰをＶゾーン以外へ誘導するＶゾーン誘導装置３４などが接続されている。
【００３６】
上記各スイッチ２０ｓ，２２ｓ，２２ｖ、各センサ２１ｓ，２３ｓ、および各アクチュエータ２４，２５，３４は、パチンコ遊技を実行するための遊技装置を構成しており、メイン中継基板８０を介して主制御基板３０に接続されている。これら各スイッチ２０ｓ，２２ｓ，２２ｖおよび各センサ２１ｓ，２３ｓを構成する通過球センサ１００がパチンコ球Ｐを検出すると、その検出信号はメイン中継基板８０を介して主制御基板３０のメインＣＰＵ３１に入力され、入力される検出信号に応じて、メインＣＰＵ３１は上記各アクチュエータ２４，２５，３４をそれぞれ駆動制御する。
【００３７】
副制御基板４０は、液晶表示装置（ＬＣＤ）１３ｃ，スピーカ１３ｂ，１３ｂ，および電飾ＬＥＤ１１ａ２にサブ中継基板９０を介して接続されており、液晶表示装置１３ｃにおける画像表示を行う画像表示制御、スピーカ１３ｂ，１３ｂから効果音を放音させる音制御、および遊技状態に応じて電飾ＬＥＤ１１ａ２の発光を制御する電飾制御を行う。この副制御基板４０には、サブＣＰＵ４１、プログラムＲＯＭ４２、ワークＲＡＭ４３が実装されている。サブＣＰＵ４１は、主制御基板３０から受信した制御指令の解釈や、ＶＤＰ（ビデオ・ディスプレイ・プロセッサ）４４のパラメータ設定を行う。プログラムＲＯＭ４２には、サブＣＰＵ４１が液晶表示装置１３ｃや、スピーカ１３ｂ，１３ｂ、電飾ＬＥＤ１１ａ２の各動作を処理制御するための制御プログラムが記憶格納されている。ワークＲＡＭ４３は、サブＣＰＵ４１が上記制御プログラムに従って処理制御を行う際の一時的な記憶手段となる。
【００３８】
また、副制御基板４０には、画像データＲＯＭ４５、ＶＤＰ４４、および初期リセット回路４６が実装されている。画像データＲＯＭ４５は、液晶表示装置１３ｃに表示する画像を形成するためのドットデータを記憶格納する。ＶＤＰ４４は、サブＣＰＵ４１で設定されたパラメータに応じて画像データＲＯＭ４５内のドットデータを読み込み、液晶表示装置１３ｃに表示するための画像データを生成する。初期リセット回路４６は、副制御基板４０における副制御回路をリセットするリセット信号を発生する。
【００３９】
メインＣＰＵ３１は、始動入賞口１２ｂへパチンコ球Ｐが入賞して始動入賞が発生すると大当たり判定を行う。副制御回路は、この大当たり判定の結果に対応する態様で液晶表示装置１３ｃに特別図柄を順次停止表示させ、左図柄と右図柄とが同一図柄で揃って停止表示されるリーチ状態になると、液晶表示装置１３ｃに特別図柄および演出画を用いてリーチ演出を行う。
【００４０】
スピーカ駆動回路は、効果音の原信号を生成する音源ＩＣ４８と、これに接続され効果音が記憶されている音源データＲＯＭ４９と、音源ＩＣ４８から出力された原信号を増幅するアンプ５０と、３段階の中から１段階の音量出力レベルを指定する音量切換スイッチ５１とから構成されており、サブＣＰＵ４１からの駆動信号により、スピーカ１３ｂ，１３ｂを制御する。ドライブ回路５２は、サブＣＰＵ４１からの駆動信号により、パチンコ機１０の遊技状態に応じて電飾ＬＥＤ１１ａ２の発光を制御する。
【００４１】
払出・発射制御基板６０には、賞球などを払い出す払出装置６１、および発射ハンドル１の操作に応じて駆動される発射ソレノイド１３ｄが接続されている。払出・発射制御基板６０に構成された払出・発射制御回路は、各種入賞に応じて主制御基板３０から出力される払出指令信号に応じて払出装置６１を駆動制御して賞球を払い出させると共に、遊技者による発射ハンドル１の操作に応じて発射ソレノイド１３ｄを駆動制御し、パチンコ球Ｐを遊技領域１２Ａへ発射させる。
【００４２】
上記の構成において、発射ハンドル１が操作されて遊技領域１２Ａに発射されたパチンコ球Ｐが各入賞口１２ｂ〜１２ｄの開口領域に入って入賞すると、パチンコ球Ｐは球通路７０ａ〜７０ｅを通過して収集されながら、各挿入口７１〜７４に設けられた通過球センサ１００の側面１０２ａの近傍を通過する。また、遊技領域１２Ａに発射されたパチンコ球Ｐが通過ゲートを通過すると、パチンコ球Ｐは、通過ゲートの開口領域に設けられた通過球センサ１００の側面１０２ａの近傍を通過する。このとき、通過球センサ１００からローレベルの検出信号が出力される。メインＣＰＵ３１は、ローレベルの検出信号を入力すると、パチンコ球Ｐが遊技部材の所定領域を通過したものと判断し、入賞した入賞口または通過した通過ゲートに応じてパチンコ球Ｐの払出処理などを行う。
【００４３】
このような本実施形態によるパチンコ機１０によれば、上述したように、収納ケース１０２は、パチンコ球Ｐが通過する所定領域が、パチンコ球Ｐを取り囲んで形成されていた貫通孔が欠けた図６に示す形状に形成される。このため、永久磁石１０７およびホール素子１０６の取付位置を、従来のような互いが対向する位置に限定しないようにすることで、収納ケース１０２を小型化できる。また、収納ケース１０２を小型化することで、収納ケース１０２の製作コストもかからなくなる。また、収納ケース１０２が欠けた形状になって突出部分が少なくなるので、透明遊技盤１２において収納ケース１０２がパチンコ球Ｐの流下を妨げなくなる。従って、透明遊技盤１２の任意の位置に収納ケース１０２を設けることが可能となり、通過球センサ１００を入賞検出に用いるだけでなく、演出用のセンサなどにも使えるようになる。例えば、入賞装置や役物のない透明遊技盤１２の任意の位置や、ワープ入口，ワープ出口などに通過球センサ１００を設け、流下するパチンコ球Ｐの検出時に何らかの演出を行えば、従来単にパチンコ球Ｐが流下するだけの所で演出が行われるようになり、パチンコ遊技の興趣が向上する。
【００４４】
また、本実施形態では、永久磁石１０７およびホール素子１０６が同一平面上にあることで、永久磁石１０７が発生する磁力が効率的にホール素子１０６に伝えられる。このため、ホール素子１０６が磁束の変化を確実に検出できるようになって、パチンコ球Ｐの通過を正確に検出することができる。
【００４５】
また、本実施形態では、永久磁石１０７が発生した磁束がホール素子１０６に至るまでの磁気抵抗が金属板１０８によって小さくなり、永久磁石１０７が発生する磁力がより効率的にホール素子１０６に伝えられる。このため、金属板１０８によって強められた磁界中をパチンコ球Ｐが通過することになり、ホール素子１０６が磁束の変化をより確実に検出できるようになって、パチンコ球Ｐの通過をさらに正確に検出することができる。
【００４６】
なお、上記の実施形態においては、側面１０２ａが図６に示すように内側に湾曲した収納ケース１０２を有する通過球センサ１００を用いた場合を説明したが、本発明はこれに限られるものではない。収納ケースの形状は、永久磁石１０７と通過するパチンコ球Ｐとの各中心を結ぶ線の延長線上にまで収納ケース本体が達しず、ホール素子１０６と通過するパチンコ球Ｐとの各中心を結ぶ線の延長線上にまで収納ケース本体が達しない、前述した欠けた形状であれば、適宜変更可能である。
【００４７】
例えば、収納ケース本体が図８（ａ）に示す収納ケース１１２のように直方体状に形成されている場合、ホール素子１０６や永久磁石１０７の中心位置は、同図（ａ）に示す位置ａ１，位置ａ２で示される位置に配置することが可能となる。この場合、各位置ａ１，ａ２と所定領域を通過しているパチンコ球Ｐの中心Ｐｇとを結ぶ線の延長線上Ｌ１には、収納ケース本体は存在しないため、収納ケース１１２は、ホール素子１０６や永久磁石１０７とパチンコ球Ｐとの各中心を結ぶ線の延長線上Ｌ１にまで収納ケース本体が達しない欠けた形状となる。また、ホール素子１０６や永久磁石１０７の中心位置が位置ａ３や位置ａ４に配置され、収納ケース本体の両側にこれら位置ａ３，ａ４にあるホール素子１０６や永久磁石１０７を収納する突出部分が形成されている場合であっても、収納ケースは、ホール素子１０６や永久磁石１０７とパチンコ球Ｐとの各中心を結ぶ線の延長線上Ｌ２にまで収納ケース本体が達しない欠けた形状となる。
【００４８】
また、ホール素子１０６や永久磁石１０７の中心位置を、同図（ｂ）に示す位置ｂ１や位置ｂ２などで示される位置に配置する場合、各位置ｂ１，ｂ２と所定領域を通過しているパチンコ球Ｐの中心Ｐｇとを結ぶ線の延長線上Ｌ３には収納ケース本体が存在するため、収納ケース１１２は、ホール素子１０６や永久磁石１０７とパチンコ球Ｐとの各中心を結ぶ線の延長線上Ｌ３にまで収納ケース本体が達しない欠けた形状とはならなくなってしまう。
【００４９】
図９は、上記の図８（ａ）に示す位置ａ１，ａ２にホール素子１０６および永久磁石１０７が配置され、側面１１２ａが平面状に形成された直方体状の収納ケース１１２を有する通過球センサ１１０の構造を示しており、同図（ａ）はその側面図、同図（ｂ）はその平面図、同図（ｃ）は正面図である。なお、同図において、図６と同一または相当する部分には同一の符号を付してその説明は省略する。
【００５０】
ホール素子１０６および永久磁石１０７は、同図（ａ），（ｂ）に点線で示すように、収納ケース１１２内の同一平面上に設けられ、直線上に形成された側面１１２ａに沿って、遊技部材の所定領域を臨んで並んで収納されている。また、上記の実施形態と同様、ホール素子１０６および永久磁石１０７の間には、永久磁石１０７により静磁界が発生しており、永久磁石１０７が発生する磁束がホール素子１０６に至るまでの収納ケース１１２内部には、同図（ａ），（ｂ）に点線で示すように、金属板１０８が収納されている。
【００５１】
図１０は、上記の図８（ａ）に示す範囲位置にホール素子１０６および永久磁石１０７の中心位置が配置され、側面１２２ａの両端がそれぞれ異なる突出量で突出した形状の収納ケース１２２を有する通過球センサ１２０の構造を示す平面図である。
【００５２】
ホール素子１０６および永久磁石１０７は、同図に点線で示すように、収納ケース１２２内の同一平面上に設けられ、半月状に湾曲した側面１２２ａに沿って、遊技部材の所定領域を臨んで並んで収納されている。この構成では、ホール素子１０６および永久磁石１０７は、上記の実施形態より大きな互いの角度が付いた状態で配置されている。また、ホール素子１０６および永久磁石１０７の間には、永久磁石１０７により静磁界が発生しており、永久磁石１０７が発生する磁束がホール素子１０６に至るまでの収納ケース１２２内部には、同図に点線で示すように、金属板１０８が収納されている。
【００５３】
図９および図１０に示す上記の各通過球センサ１１０，１２０を遊技部材の所定領域や透明遊技盤１２の任意の位置に用いた場合であっても、上記の実施形態と同様の作用効果が奏される。
【００５４】
また、上記の実施形態においては、電流磁気効果を起こす素子としてホール素子を用いた場合を説明したが、ホール素子の代わりに磁気抵抗素子を用いることも可能である。
【００５５】
この構成によれば、パチンコ球Ｐが遊技部材の所定領域を通過すると、永久磁石１０７が発生する静磁界に磁界の変化が生じ、この磁界の変化によって、磁気抵抗素子内部に電流磁気効果として起こる磁気抵抗効果に変化が現れる。この磁気抵抗効果の変化が検出されることで、パチンコ球Ｐが遊技部材の所定領域を通過したことがメインＣＰＵ３１によって認識される。
【００５６】
また、上記の実施形態においては、磁界発生手段として永久磁石１０７を用いた場合を説明したが、磁界発生手段は静磁界を発生するものであれば適宜変更可能である。
【００５７】
また、上記の実施形態においては、永久磁石１０７が発生する磁束がホール素子１０６に至るまでの位置に金属板１０８を設けた場合を説明したが、金属板１０８を設けない構成とすることもできる。また、上記の実施形態においては、収納ケース１０２の側面１０２ａに沿って同一平面上にホール素子１０６および永久磁石１０７を設けた場合を説明したが、ホール素子１０６および永久磁石１０７は、永久磁石１０７が発生する磁束によってホール素子１０６内にホール効果が起こる位置に配置されていればよく、配置位置は適宜変更可能である。
【産業上の利用可能性】
【００５８】
上記実施形態においては、本発明による遊技機をパチンコ機に適用した場合について説明したが、遊技部材の所定領域を通過した遊技球を検出する遊技球検出装置を備えた他の遊技機に本発明を適用することも可能である。このような遊技機に本発明を適用した場合においても上記実施形態と同様な作用効果が奏される。
【図面の簡単な説明】
【００５９】
【図１】本発明の一実施形態によるパチンコ機の外観を示す斜視図である。
【図２】図１に示すパチンコ機の分解斜視図である。
【図３】図１に示すパチンコ機の透明遊技盤の構成の概略を示す正面図である。
【図４】図３に示す透明遊技盤の裏面の構成を示す裏面図である。
【図５】図４に示す透明遊技盤の裏面に設けられた入賞球集合樋アッセンブリの構造を示す拡大斜視図である。
【図６】図１に示すパチンコ機に用いられる通過球センサの構造を示しており、（ａ）はその側面図、（ｂ）はその平面図、（ｃ）はその斜視図である。
【図７】図１に示すパチンコ機の遊技動作を処理制御する電子回路の主な構成を示すブロック図である。
【図８】ホール素子や永久磁石と収納ケースとの相互位置関係を示す図である。
【図９】本発明の変形例によるパチンコ機に用いられる通過球センサの構造を示しており、（ａ）はその側面図、（ｂ）はその平面図、（ｃ）はその正面図である。
【図１０】本発明の他の変形例によるパチンコ機に用いられる通過球センサの構造を示す平面図である。
【符号の説明】
【００６０】
１０…パチンコ機
１２…透明遊技盤
１２ｂ…始動入賞口
１２ｃ…一般入賞口
１２ｄ…大入賞口
３０…主制御基板
４０…副制御基板
７０…入賞球集合樋アッセンブリ
７０ａ，７０ｂ，７０ｃ，７０ｄ，７０ｅ…球通路
７１，７２，７３，７４…挿入口
１００，１１０，１２０…通過球センサ
１０２，１１２，１２２…収納ケース
１０２ａ，１１２ａ，１２２ａ…ケース側面
１０６…ホール素子
１０７…永久磁石
１０８…金属板
Ｐ…パチンコ球
【図１】
2007007037.tif 000003
【図２】
2007007037.tif 000004
【図３】
2007007037.tif 000005
【図４】
2007007037.tif 000006
【図５】
2007007037.tif 000007
【図６】
2007007037.tif 000008
【図７】
2007007037.tif 000009
【図８】
2007007037.tif 000010
【図９】
2007007037.tif 000011
【図１０】
2007007037.tif 000012